(57)【特許請求の範囲】
【請求項１】
ハウジングと、
このハウジングに開閉可能に取り付けたカバーと、
一対の側枠およびこの側枠の間を連結する横断枠を有するとともに、この側枠の部分において前記ハウジングに起伏可能に軸着した携帯用取っ手と、を有する携帯用取っ手付き印字機において、
前記携帯用取っ手の起伏軸を前記ハウジングの中央部側に位置させるとともに、前記カバーの開閉軸を前記ハウジングの一端部側に位置させた携帯用取っ手付き印字機の取っ手案内装置であって、
前記カバーに、
前記携帯用取っ手の第１の被ガイド部に当接して該携帯用取っ手を起伏面内で案内可能な第１のガイド部と、
前記携帯用取っ手の第２の被ガイド部に当接して該携帯用取っ手をさらに起伏面内で案内可能な第２のガイド部と、を設けたことを特徴とする携帯用取っ手付き印字機の取っ手案内装置。
【請求項２】
前記携帯用取っ手の前記第１の被ガイド部は、前記携帯用取っ手の前記側枠にこれを形成したことを特徴とする請求項１記載の携帯用取っ手付き印字機の取っ手案内装置。
【請求項３】
前記携帯用取っ手の前記第２の被ガイド部は、前記携帯用取っ手の前記横断枠にこれを形成したことを特徴とする請求項１記載の携帯用取っ手付き印字機の取っ手案内装置。
【請求項４】
前記カバーの第１のガイド部は、前記カバーの側面にこれを形成したことを特徴とする請求項１記載の携帯用取っ手付き印字機の取っ手案内装置。
【請求項５】
前記カバーの第２のガイド部は、前記カバーの上面にこれを形成したことを特徴とする請求項１記載の携帯用取っ手付き印字機の取っ手案内装置。
【発明の詳細な説明】
【０００１】
【発明の属する技術分野】
本発明は携帯用取っ手付き印字機の取っ手案内装置にかかるもので、とくに印字機本体の上面を開放可能なカバーおよびこのカバーに交差する可能性がある起伏可能な携帯用取っ手を有する携帯用取っ手付き印字機の取っ手案内装置に関するものである。
【０００２】
【従来の技術】
従来の携帯式印字機においてはそのハウジングないし印字機本体部分に携帯用取っ手を取り付けることにより、携帯の便としている。
また、そのハウジング部分を箱型とし、その両端部以外すなわち中央部側に当該携帯用取っ手の起伏軸を設けて携帯しやすいようにするとともに、ハウジングの上部に開閉可能なカバーを設けて、ハウジング内部への印字媒体（ラベル連続体その他）の装填および保守点検作業の便とすることがある。
【０００３】
しかしながら、携帯用取っ手の使用状態（起立状態）のままカバーを開閉すると、カバーの開閉に携帯用取っ手が邪魔になってカバー開閉操作の妨げとなることがあり、最後までカバーを開けることができないという不便がある。すなわちカバーを開けるには、まず携帯用取っ手をハウジングの一方端側に折り倒し（収納し）、上方に突出しないようにしてからカバーの開閉を行う必要があり、操作上面倒であるという問題がある。
【０００４】
なお、カバーを全面開放したときに、その開放状態より過度にカバーを開こうとする外力が作用したときなどに、カバーの支持機構ないし保護機構を設ける必要があるという問題がある。
【０００５】
【発明が解決しようとする課題】
本発明は以上のような諸問題にかんがみなされたもので、携帯用取っ手およびカバーの相互作用を適切にしてカバーの開閉操作を円滑にした携帯用取っ手付き印字機の取っ手案内装置を提供することを課題とする。
【０００６】
また本発明は、携帯用取っ手がどのような状態（起伏状態）にあっても、カバーを開放する際にこの携帯用取っ手が邪魔にならないようにした携帯用取っ手付き印字機の取っ手案内装置を提供することを課題とする。
【０００７】
また本発明は、カバーの開放により携帯用取っ手を所定方向に傾斜可能である携帯用取っ手付き印字機の取っ手案内装置を提供することを課題とする。
【０００８】
また本発明は、カバーを全面開放したときに、その姿勢で携帯用取っ手がこれを支持することができるようにした携帯用取っ手付き印字機の取っ手案内装置を提供することを課題とする。
【０００９】
【課題を解決するための手段】
すなわち本発明は、携帯用取っ手の内側において開閉するカバーの開放軌跡と携帯用取っ手の可動軌跡（起伏軌跡）とが互いに干渉しないようにすること、カバーの開放操作により携帯用取っ手とカバーとが係合して携帯用取っ手をその起伏面内において所定方向に案内可能とすることに着目したもので、ハウジングと、このハウジングに開閉可能に取り付けたカバーと、一対の側枠およびこの側枠の間を連結する横断枠を有するとともに、この側枠の部分において上記ハウジングに起伏可能に軸着した携帯用取っ手と、を有する携帯用取っ手付き印字機において、上記携帯用取っ手の起伏軸を上記ハウジングの中央部側に位置させるとともに、上記カバーの開閉軸を上記ハウジングの一端部側に位置させた携帯用取っ手付き印字機の取っ手案内装置であって、上記カバーに、上記携帯用取っ手の第１の被ガイド部に当接して該携帯用取っ手を起伏面内で案内可能な第１のガイド部と、上記携帯用取っ手の第２の被ガイド部に当接して該携帯用取っ手をさらに起伏面内で案内可能な第２のガイド部と、を設けたことを特徴とする携帯用取っ手付き印字機の取っ手案内装置である。
【００１０】
上記携帯用取っ手の上記第１の被ガイド部は、上記携帯用取っ手の上記側枠にこれを形成することができる。
【００１１】
上記携帯用取っ手の上記第２の被ガイド部は、上記携帯用取っ手の上記横断枠にこれを形成することができる。
【００１２】
上記カバーの第１のガイド部は、上記カバーの側面にこれを形成することができる。
【００１３】
上記カバーの第２のガイド部は、上記カバーの上面にこれを形成することができる。
【００１４】
本発明による携帯用取っ手付き印字機の取っ手案内装置においては、携帯用取っ手の第１の被ガイド部に当接して該携帯用取っ手を起伏面内で案内可能な第１のガイド部と、携帯用取っ手の第２の被ガイド部に当接して該携帯用取っ手をさらに起伏面内で案内可能な第２のガイド部と、をカバーに設けたので、カバーの閉鎖状態から開放状態への移行にともない、まず第１のガイド部が携帯用取っ手の第１の被ガイド部を案内し、さらに、第２のガイド部が携帯用取っ手の第２の被ガイド部を案内して、両者が衝突により互いに移動不可能になることを回避することができるため、カバーの開閉操作に携帯用取っ手が邪魔になることはない。
換言すれば、携帯用取っ手をその起立状態にしたままであっても、カバーの開放操作を直ちに行うことが可能となり、カバーの操作のたびに携帯用取っ手をその倒伏状態に移動し直す必要はなくなるわけである。
【００１５】
なお、カバーを完全に開放状態としたときにも、携帯用取っ手の第２の被ガイド部がその上面（第２のガイド部）を支持することができ、カバーの不用意な過剰倒れを防止することができる。
【００１６】
【発明の実施の形態】
つぎに本発明の実施の形態による取っ手案内装置を備えた携帯用取っ手付き印字機１を図１ないし図６にもとづき説明する。
図１は、携帯用取っ手付き印字機１の斜視図、図２は、同、側面図、図３は、同、要部縦断面図であって、携帯用取っ手付き印字機１は、印字機本体２と、カバー３と、携帯用取っ手４と、その取っ手案内装置５と、そのカバー支持装置６と、を有する。
【００１７】
印字機本体２は、とくに図３に示すように、ラベル連続体７の保持部８および移送路９と、サーマルヘッド１０およびプラテン１１を有する印字部１２と、を有する。
カバー３は、印字機本体２におけるハウジング１３の一端部側に設けた開閉軸１４にこれを開閉可能（図中実線が開放状態、仮想線が閉鎖状態）に軸着したもので、キーボード１５と、表示部１６と、押さえローラー１７を支持する板バネ材１８と、上記サーマルヘッド１０と、を取り付けてある。
【００１８】
図４は、携帯用取っ手４の取付け構造を示す一部分解斜視図であって、携帯用取っ手４は、左右一対の側枠１９と、側枠１９の間の横断枠２０と、を有し、側枠１９の端部を印字機本体２におけるハウジング１３の取付け孔２１に取付けピン２２（起伏軸）により起伏可能に取り付けてある。
【００１９】
とくに図２に示すように、携帯用取っ手４は取付けピン２２を軸として、起立状態（図中仮想線）および倒伏状態（図中実線）の間を回動可能としてある。取付けピン２２の軸部は、取付け孔２１に嵌合する抜け止め構成となっている。なお、携帯用取っ手４はその起立状態から図中反時計方向にさらに回動させることも可能である（図中点線）。
【００２０】
図２に加えて、図１および図４も参照して説明すると、携帯用取っ手４の側枠１９は、カバー３の左右の張出し側面２３（側面）およびへこみ側面２４（側面）の間に形成した円弧状の第１の凹段部２５、およびハウジング１３の左右の張出し側面２６（側面）およびへこみ側面２７（側面）の間に形成した円弧状の第２の凹段部２８と同一の厚さを有し、その図２中左側の倒伏状態（点線）および右側の倒伏状態（実線）で、この第１の凹段部２５および第２の凹段部２８にそれぞれ着座するようになっている。
すなわち携帯用取っ手４の側枠１９は、その内面側が、カバー３の左右のへこみ側面２４およびハウジング１３の左右のへこみ側面２７に沿って起伏することになる。
【００２１】
図５は、カバー３を開閉軸１４のまわりに開放途中にある状態を示した一部切欠き側面図であって、係止レバー２９の操作片３０を図５中下方に押すことにより、係止レバー２９を回動軸３１のまわりに反時計方向に回動させ、係止レバー２９と、カバー３の係止ピン３２との係合を解除してカバー３を開閉軸１４のまわりに開放可能とする。
【００２２】
カバー３の張出し側面２３、より具体的には、第１の凹段部２５の端部に第１のガイド部３３を、カバー３の上面３４の開閉軸１４側に第２のガイド部３５を形成するとともに、携帯用取っ手４の側枠１９に第１の被ガイド部３６を、横断枠２０に第２の被ガイド部３７をそれぞれ形成する。
第１のガイド部３３は、第１の被ガイド部３６に当接してこれを携帯用取っ手４の起伏面内で案内可能としてある。第２のガイド部３５は、第２の被ガイド部３７に当接してこれを携帯用取っ手４の起伏面内で案内可能としてある。
ただし第２のガイド部３５は、カバー３の上面３４のうち、キーボード１５および表示部１６より開閉軸１４側にこれを形成するものとする。
【００２３】
図６は、カバー３を開閉軸１４のまわりに最大限に開放した状態を示す、図５と同様の一部切欠き側面図であって、携帯用取っ手４（横断枠２０）の第２の被ガイド部３７がカバー３の第２のガイド部３５に係合することにより、後述のカバー支持装置６とともにストッパー機能を発揮している。すなわち、図中左方から右方向への過度の外力がカバー３にかかった場合に、携帯用取っ手４がこれに抵抗することができる。
【００２４】
図７は、カバー支持装置６の一部分解斜視図であって、カバー支持装置６は、前記開閉軸１４と、この開閉軸１４に前記カバー３を取り付けるカバー取付け部材３８と、一対のトーションバー３９と、を有する。
それぞれのトーションバー３９は、カバー３の開閉軸１４にほぼ平行なバー軸部４０と、このバー軸部４０の両端部において互いに反対方向に延びる一対のハウジング側取付けバー部４１およびカバー側取付けバー部４２と、を有する。ハウジング側取付けバー部４１およびカバー側取付けバー部４２がバー軸部４０に対して捻れることにより弾性付勢力を発揮するもので、一般的には互いに１８０度の角度をもってバー軸部４０に形成し、バー軸部４０、ハウジング側取付けバー部４１およびカバー側取付けバー部４２が同一平面内にあるように形成する。
ただし、カバーの開閉状態あるいは携帯用取っ手４、ハウジング１３の構成に応じて、ハウジング側取付けバー部４１およびカバー側取付けバー部４２をバー軸部４０に対して任意の角度で形成することにより、バー軸部４０まわりの任意の角度位置で弾性力を作用させるようにすることができる。
【００２５】
一対のトーションバー３９のバー軸部４０をそれぞれ開閉軸１４に沿うように設けるとともに、これらトーションバー３９のそれぞれのハウジング側取付けバー部４１をハウジング１３のハウジング側固定部４３に、それぞれのカバー側取付けバー部４２をカバー３のカバー側固定部４４に固定してある。開閉軸１４の両端部にはＥ型ワッシャ４５を取り付けてある。
なお図示のように、これらトーションバー３９のそれぞれのハウジング側取付けバー部４１、およびそれぞれのカバー側取付けバー部４２を開閉軸１４のまわりに互いに対向して設ける。したがって、一対のトーションバー３９はそれぞれのバー軸部４０を束ねた状態で、カバー３の左右側面側に対称にそれぞれのハウジング側取付けバー部４１およびカバー側取付けバー部４２を配置してあり、カバー３の開閉にともない、トーションバー３９が左右均一な弾性作用を発揮可能としている。
【００２６】
また、とくに図５も参照して述べると、トーションバー３９のバー軸部４０がカバー取付け部材３８の鈎手状断面部４６に当接可能にその後方部に位置しており、図５中左方から右方向への過度の外力がカバー３にかかった場合に、鈎手状断面部４６がトーションバー３９（バー軸部４０）に当接し、カバー３を図６に示すような最大開放位置に停止支持することができる。
【００２７】
こうした構成の携帯用取っ手付き印字機１およびその取っ手案内装置５において、図１ないし図２に示す状態（カバー３の閉鎖状態）で所定のデータ入力操作および印字操作を行う。
印字機本体２内部の保守点検あるいはラベル連続体７の装填操作時には、係止レバー２９の操作片３０（図５）を下方に押して係止ピン３２から係止レバー２９を外し、カバー３と印字機本体２との係合を解除し、カバー３を開閉軸１４のまわりに開放可能な状態とする。このとき、携帯用取っ手４が印字機本体２に対して図２の実線のような場合には開放操作上に問題はないが、携帯用取っ手付き印字機１としては携帯して用いることが一般的であり、多くの場合、図２の仮想線のように携帯用取っ手４はその起立状態にある。
しかしてこのような起立状態であっても図５に示すように、カバー３の開閉軸１４のまわりの開放操作にともなって、まず、カバー３の張出し側面２３部分の第１のガイド部３３が携帯用取っ手４の側枠１９の第１の被ガイド部３６に当接してこれを側面（図５中左方向）から押し、携帯用取っ手４を取付けピン２２のまわりに図５中わずかに反時計方向に傾けるように回動させる。したがって、カバー３と携帯用取っ手４とは互いに当接し合ってはいてもそれぞれの開放ないし回動操作に支障はない。
【００２８】
第１のガイド部３３が第１の被ガイド部３６の端部に至って、これ以上側枠１９を押すことができなくなると、カバー３の第２のガイド部３５が携帯用取っ手４における横断枠２０の第２の被ガイド部３７に当接し、引き続いてカバー３が携帯用取っ手４を取付けピン２２のまわりに反時計方向に押しながらカバー３の開放操作を可能とする。
カバー３の開閉軸１４まわりの図５中反時計方向の閉鎖操作のときにはもちろん、携帯用取っ手４の起伏状態はカバー３の邪魔にはならない。
【００２９】
かくして、印字機本体２に対して携帯用取っ手４が起立状態であってもカバー３の開放操作に邪魔になることはなく、円滑な開放操作を保障することができる。
しかも図６に示すように、カバー３をその最大限に開放したときには、カバー取付け部材３８の鈎手状断面部４６がトーションバー３９（バー軸部４０）に当接し、カバー３を図６に示すような最大開放位置に支持してこれを停止させるとともに、横断枠２０の第２の被ガイド部３７がカバー３の第２のガイド部３５を押さえるようにするので、これ以上の過度の外力が作用しても上記停止機能を補助することができる。
【００３０】
【発明の効果】
以上のように本発明によれば、カバーに第１のガイド部および第２のガイド部を、携帯用取っ手に第１の被ガイド部および第２の被ガイド部をそれぞれ形成して互いの操作を可能としたので、携帯用取っ手の起伏状態に関係なくカバーの開閉操作を円滑に行うことができる。
【図面の簡単な説明】
【図１】本発明の実施の形態による取っ手案内装置５を備えた携帯用取っ手付き印字機１の斜視図である。
【図２】同、側面図である。
【図３】同、要部縦断面図である。
【図４】同、携帯用取っ手４の取付け構造を示す一部分解斜視図である。
【図５】同、カバー３を開閉軸１４のまわりに開放途中にある状態を示した一部切欠き側面図である。
【図６】同、カバー３を開閉軸１４のまわりに最大限に開放した状態を示す、図５と同様の一部切欠き側面図である。
【図７】同、カバー支持装置６の一部分解斜視図である。
【符号の説明】
１  携帯用取っ手付き印字機
２  印字機本体
３  カバー
４  携帯用取っ手
５  携帯用取っ手付き印字機１の取っ手案内装置（実施の形態、図１、図２、図５）
６  カバー支持装置（図７）
７  ラベル連続体
８  ラベル連続体７の保持部
９  ラベル連続体７の移送路
１０  サーマルヘッド
１１  プラテン
１２  印字部
１３  印字機本体２のハウジング
１４  カバー３の開閉軸
１５  キーボード
１６  表示部
１７  押さえローラー
１８  板バネ材
１９  携帯用取っ手４の側枠
２０  携帯用取っ手４の横断枠
２１  取付け孔
２２  取付けピン（携帯用取っ手４の起伏軸）
２３  カバー３の張出し側面（側面）
２４  カバー３のへこみ側面（側面）
２５  第１の凹段部
２６  ハウジング１３の張出し側面（側面）
２７  ハウジング１３のへこみ側面（側面）
２８  第２の凹段部
２９  係止レバー
３０  係止レバー２９の操作片
３１  係止レバー２９の回動軸
３２  係止ピン
３３  カバー３の第１のガイド部
３４  カバー３の上面
３５  カバー３の第２のガイド部
３６  携帯用取っ手４における側枠１９の第１の被ガイド部
３７  携帯用取っ手４における横断枠２０の第２の被ガイド部
３８  カバー３のカバー取付け部材
３９  トーションバー
４０  トーションバー３９のバー軸部
４１  トーションバー３９のハウジング側取付けバー部
４２  トーションバー３９のカバー側取付けバー部
４３  ハウジング側固定部
４４  カバー側固定部
４５  Ｅ型ワッシャ
４６  カバー取付け部材３８の鈎手状断面部
【図１】
0004327935.tif 000002
【図２】
0004327935.tif 000003
【図３】
0004327935.tif 000004
【図４】
0004327935.tif 000005
【図５】
0004327935.tif 000006
【図６】
0004327935.tif 000007
【図７】
0004327935.tif 000008